(57)【要約】【課題】  良好な防盗機能を維持できながら、商品を補充する際に、補充する商品によって商品出口側に押し出された商品が、払出阻止手段と載置台との間に挟まって残ったままとなることを防止できる自動販売機の商品搬出装置を提供する。【解決手段】  商品３を載置台９上の収納枠４内において上下に直積みした状態で収納し、この収納枠４の下端部の一部に商品出口１１を開口させ、載置台９に沿って移動するプッシャ２１により下端の商品３を商品出口１１から払い出す自動販売機の商品搬出装置において、商品出口１１に臨む箇所に突出して商品３の払出を阻止する阻止姿勢と、商品出口１１に臨む箇所から退出して商品３の払出を許容する退出姿勢とにわたって移動自在に支持された払出阻止ゲート３１と、阻止姿勢での払出阻止ゲート３１の阻止力よりも、阻止姿勢から退出姿勢側に移動した際の払出阻止ゲート３１の阻止力が小さくなるように前記阻止力を調整する阻止力調整手段としての磁石３３を設けた。【選択図】  図１０
2007079878.tif 000002
【特許請求の範囲】
【請求項１】
商品を載置台上の収納枠内において上下に直積みした状態で収納し、この収納枠の下端部の一部に商品出口を開口させ、前記載置台に沿って移動するプッシャにより下端の商品を前記商品出口から払い出す自動販売機の商品搬出装置であって、
前記商品出口に臨む箇所に突出して商品の払出を阻止する阻止姿勢と、前記商品出口に臨む箇所から退出して商品の払出を許容する退出姿勢とにわたって、移動自在に支持された払出阻止手段と、
阻止姿勢での払出阻止手段の阻止力よりも、阻止姿勢から退出姿勢側に移動した際の払出阻止手段の阻止力が小さくなるように、前記阻止力を調整する阻止力調整手段と
を設けた自動販売機の商品搬出装置。
【請求項２】
阻止力調整手段として磁石を設け、阻止姿勢では磁石の吸着力が払出阻止手段に大きく作用して商品の払出を阻止する一方、退出姿勢側に移動すると磁石の吸着力が弱まって商品の払出を許容する構成とした請求項１記載の自動販売機の商品搬出装置。
【請求項３】
払出阻止手段として、阻止姿勢と退出姿勢とにわたって移動自在に支持された金属製の払出阻止板を設け、払出阻止板を移動自在に支持する固定側支持部材における、払出阻止板が阻止姿勢である場合に払出阻止板に当接または近接し、払出阻止板が退出姿勢側に移動することで払出阻止板からの距離が離れる箇所に、阻止力調整手段としての磁石を取付けた請求項２記載の自動販売機の商品搬出装置。
【発明の詳細な説明】
【技術分野】
【０００１】
本発明は、たばこなどの箱型の商品をプッシャにより押し出して搬出する自動販売機の商品搬出装置に関するものである。
【背景技術】
【０００２】
図１２（ａ）〜（ｄ）に簡略的に示すように、たばこなどの箱型等の商品５１を、載置台５２上の収納枠５３内に上下方向に直積みした状態で収納し、載置台５２に沿って突出した状態で移動可能とされたプッシャ５４により、収納枠５３の下端部の一方向側に設けた商品出口５５から、下端の商品５１を１つずつ搬出して払い出す自動販売機の商品搬出装置は既に知られている。なお、商品５１の収納部５８に臨む一方向の面は、商品５１を補充できるように開口され、この補充用開口部５６には、商品５１が収納枠５３内の収納部５８から脱落することを防止するスプリングガイド５７などからなる脱落防止手段が係脱自在（または、脱落防止手段が開閉自在の扉体である場合もある）に配設されている。なお、図１２（ａ）〜（ｄ）における６１は、図示しないプッシャ駆動用のモータにより駆動される駆動プーリ、６２は従動プーリ、６３はこれらのプーリ６１、６２間に掛け渡されてプッシャ５４を駆動する駆動ベルトである。
【０００３】
この種の自動販売機においては、収納部５８内に商品５１があまりなくて、下端の商品５１に上方からの商品荷重が小さい場合には、盗難等を目的として、自動販売機が揺すられたり、傾倒された際に、商品出口５５から下端の商品５１が出てしまうおそれがある。これに対処する方法として、図１３（ａ）に示すように、商品出口５５に突出して商品５１の払出を阻止する阻止姿勢Ａと、商品出口５５から退出して商品５１の払出を許容する退出姿勢Ｂとにわたって回転軸５９ａを中心に回動自在に支持された払出阻止手段としての払出防止ガイド５９を設け、この払出防止ガイド５９をつるまきばねなどの付勢手段（図示せず）で阻止姿勢Ａ側に押圧するもの（例えば、特許文献１など）がある（または払出防止ガイド５９自体をフィルム状の弾性を有する材料で形成したものもある）。この構造によれば、販売待機時には、商品出口５５が払出防止ガイド５９により閉鎖されるため、商品出口５５から商品５１が出てしまうことを防止できる。なお、商品払出動作実行時には、プッシャ５４の押圧力により、商品５１を介して払出防止ガイド５９が、前記付勢手段の付勢力に抗して退出方向に回動され、商品５１を支障なく商品出口５５から払い出すことができる。
【特許文献１】特開２００３−１１５０７９公報
【発明の開示】
【発明が解決しようとする課題】
【０００４】
上記従来構成の自動販売機の商品搬出装置においては、図１３（ｂ）に示すように、収納部５８の下端にだけ１つの商品５１が残っている状態において、さらに商品５１を補充用開口部５６を通して補充する際に、補充する商品５１によって、下端の商品５１が商品出口５５側に押し出されるように力を受けて移動することがあり、この際に、押し出された商品５１によって払出防止ガイド５９が大きく回動され、これに伴って、付勢手段による付勢力が極めて大きくなり、払出防止ガイド５９と載置台５２との間に商品５１が挟まれた状態（図１３（ｃ）参照）で残ることがある（特に、商品５１が、たばこなど、軽量であり、その長手方向の長さが短い場合に、残り易くなる）。この場合には、この後に、プッシャ５４による払出動作が行われた際に、払出防止ガイド５９と載置台５２との間に挟まれた商品５１と、収納部５８の下端の商品５１との２つの商品５１が払い出されるという不具合を発生する。特に、収納部５８において補充用開口部５６が、商品５１を補充する係員から見て、手前側に配置され、商品出口５５が奥側に配置されている場合に、補充された商品５１で前記係員の視界が遮られて、払出防止ガイド５９と載置台５２との間に挟まれた商品５１が前方から見え難くなるので、挟まれて残っている商品５１が見過ごされやすく、このような状況で前記不具合が発生しやすい。
【０００５】
また、上記のように払出防止ガイド５９と載置台５２との間に商品５１が挟まれることのないように、払出防止ガイド５９を付勢するばねなどの付勢手段による付勢力を弱くすることが考えられるが、この場合には、自動販売機全体などが揺すられたり、傾倒された際に、商品出口５５から下端の商品５１が出てしまう可能性が高くなり、防盗性能が低下する。
【０００６】
本発明は上記課題を解決するもので、良好な防盗機能を維持できながら、商品を補充する際に、補充する商品によって商品出口側に押し出された商品が、払出阻止手段と載置台との間に挟まって残ったままとなる可能性を最小限に抑えることができる自動販売機の商品搬出装置を提供することを目的とするものである。
【課題を解決するための手段】
【０００７】
上記問題を解決するために請求項１記載の発明は、商品を載置台上の収納枠内において上下に直積みした状態で収納し、この収納枠の下端部の一部に商品出口を開口させ、前記載置台に沿って移動するプッシャにより下端の商品を前記商品出口から払い出す自動販売機の商品搬出装置であって、前記商品出口に臨む箇所に突出して商品の払出を阻止する阻止姿勢と、前記商品出口に臨む箇所から退出して商品の払出を許容する退出姿勢とにわたって移動自在に支持された払出阻止手段と、阻止姿勢での払出阻止手段の阻止力よりも、阻止姿勢から退出姿勢側に移動した際の払出阻止手段の阻止力が小さくなるように、前記阻止力を調整する阻止力調整手段とを設けたことを特徴とする。
【０００８】
上記構成において、払出阻止手段の阻止姿勢での阻止力を大きめに設定することにより、盗難等を目的として、自動販売機全体などを揺すられたり、傾倒された際でも、この際には、払出阻止手段が阻止姿勢であるとともに、この際の商品の払出を阻止する力が十分大きいため、商品出口に臨む箇所から下端の商品が出てしまうことを防止できる。一方、商品を補充する際に、この補充商品によって、下端の商品が商品出口側に押し出されるように力を受けて移動した場合には、この押し出された商品によって、払出阻止手段も退出姿勢側に移動されるが、払出阻止手段が退出姿勢側に移動されると、阻止力調整手段により商品の払出を阻止する力が急激に小さくなるので、この商品が払出阻止手段と載置台との間に挟まれることが殆どなくなり、前記商品は載置台上に残らずに、商品出口に臨む箇所からそのまま払い出される。なお、商品が商品出口に臨む箇所から完全に払い出されると、商品は商品出口に続く商品取出口側箇所に流れ落ちるので、商品の補充する係員によって、払い出された商品を回収すればよい。
【０００９】
また、本発明は、阻止力調整手段として磁石を設け、阻止姿勢では磁石の吸着力が払出阻止手段に大きく作用して商品の払出を阻止する一方、退出姿勢側に移動すると磁石の吸着力が弱まって商品の払出を許容する構成としたことを特徴とする。例えば、払出阻止手段として、阻止姿勢と退出姿勢とにわたって移動自在に支持された金属製の払出阻止板を設け、払出阻止板を移動自在に支持する固定側支持部材における、払出阻止板が阻止姿勢である場合に払出阻止板に当接または近接し、払出阻止板が退出姿勢側に移動することで払出阻止板からの距離が離れる箇所に、阻止力調整手段としての磁石を取付ける。
【００１０】
上記構成によれば、阻止力調整手段並びに阻止力減衰機構を極めて簡単な構成で形成することができ、製造コストも低めに抑えることができる。
【発明の効果】
【００１１】
以上のように本発明によれば、良好な防盗機能を維持できながら、商品を補充する際に、補充する商品によって商品出口側に押し出された商品が、払出阻止手段と載置台との間に挟まって残ったままとなることを防止できて、２つの商品が払い出される不具合を防止でき、信頼性が向上する。
【００１２】
また、磁石による磁力を利用することで、極めて簡単な構成で上記機能を達成でき、製造コストも安価に抑えることができる。
【発明を実施するための最良の形態】
【００１３】
以下、本発明の実施の形態にかかる自動販売機の商品搬出装置を図面に基づき説明する。
図１における１は、前面扉２を開閉自在に支持する自動販売機本体で、この自動販売機本体１内には、商品３を上下に積層した状態で収容する収納部４が、左右方向に複数列並べられて配設されているとともに、場所によっては（この実施の形態では自動販売機本体１に向かって左側寄りの箇所）、上下にも複数段配設されている。図１〜図３に示すように、収納部４は、自動販売機本体１の側面板５間（または側面板５と後述する所定の仕切板６との間）にわたって左右に延びるベース板７と、このベース板７上において上下ならびに奥行き方向に延びる仕切板６と、この仕切板６の奥端部で所定方向に屈曲して延びる背面板８（この実施の形態では、仕切板６と背面板８とが平面視Ｌ字形状に一体化されている）とにより区画されて形成されている。すなわち、これらの仕切板６、背面板８により、収納部４を区画する収納枠が構成されている。
【００１４】
ベース板７の直上位置には、その上面部が載置台９をなす搬出ユニット２０が組付けられ、この載置台９上が収納部４の実質的な収納空間とされている。なお、この実施の形態では、各収納部４の載置台９上で商品３が前後２列に並べられた状態で上下に積層される。また、背面板８の下端部と載置台９の後端部上面との間に、１つの商品３が通過できる商品出口１１が開口するように、背面板８の下端部が切欠かれている。
【００１５】
収納部４の手前側面（図２、図３では紙面の右側寄り箇所）は、商品３を補充できるように開口された補充用開口部１５が設けられており、この補充用開口部１５には、商品３が収納部４から脱落することを防止するスプリングガイド１６が縦方向に横断するように配設されている。スプリングガイド１６は、その上部にスプリング部１６ａが設けられて伸縮可能とされており、下端に設けたフック部１６ｂで、左右に延びる横フレーム１７に係止されている。そして、このスプリングガイド１６を一方の手で横方向に引っ張って補充用開口部１５の開口部分を広げることで、他方の手で持った商品３を前記補充用開口部１５を通して補充できるようになっている一方、スプリングガイド１６から手を離すことで、スプリングガイド１６が元の位置に戻って、商品３が収納部４から補充用開口部１５を通して前方に脱落することを防止している。なお、中段や下段の収納部４のスプリングガイド１６の上端部は、上の段のベース板７の下面に係止されているが、最上段の収納部４のスプリングガイド１６の上端部は、自動販売機本体１の天井面１ｂの下面に係止されている。
【００１６】
図４、図５に示すように、搬出ユニット２０には、手前側の待機位置ａから中間待機位置ｃを介して奥端の払出位置ｂまで往復運動するプッシャ２１が設けられており、このプッシャ２１を手前側から奥側へ移動させる際に、プッシャ２１により商品３の手前側の面を押圧しながら奥側に送り出す動作を一列分ずつ行って商品３を商品出口１１から払い出すように構成されている。なお、図４、図５における位置ｃは、プッシャ２１により商品収納列の一列分毎に商品３の払出を終了して、次の商品３の払出を待機する中間待機位置である。
【００１７】
より具体的に説明すると、図５、図６に示すように、搬出ユニット２０には、搬出ユニット２０における片側に偏った位置で回転自在な姿勢で前後に延設され、プッシャ２１のベース部２１ａが嵌合されているスクリューねじ（いわゆるナピアねじ）からなる駆動ねじ軸２２と、この駆動ねじ軸２２を減速ギヤ群２３を介して所定の一方向に回転する駆動モータ２４と、プッシャ２１の位置を検出するための位置検出スイッチ２５と、前後方向にスライド自在に配置され、その前端の突部２６ａと後端の突部２６ｂとでプッシャ２１に当接可能とされ、プッシャ２１が手前側待機位置ａと中間待機位置ｃとに移動したことを位置検出スイッチ２５により検知させるスライダ２６（図４、図５においては、分かり易いように、スライダ２６に網状ハッチングを入れて示している）と、搬出ユニット２０の上面から出退自在に配置された２つの売切検知レバー２７と、各売切検知レバー２７により各列の売切状態を検知する売切検出スイッチ２８とが設けられている。また、搬出ユニット２０の外殻部分をなすケースが、本体カバー２９と、この本体カバー２９に上方から被せられる載置台（上部カバー）９と、商品出口１１下方に配置されている背面カバー３０とから構成されている。
【００１８】
そして、これらの構成部品を用いて、払出動作の指示があった場合には、図７（ａ）、（ｂ）に示すように、プッシャ２１を手前側の待機位置ａから中間待機位置ｃに移動させて、手前側の列の商品３を奥側に送り込むとともに奥側の列の商品３の払出動作を行わせ、この後、払出動作の指示があった場合には、図７（ｃ）に示すように、プッシャ２１を中間待機位置ｃから奥端の払出位置ｂに移動させて、手前側の列から奥側に送り込まれた商品３の払出動作を行わせる。なお、プッシャ２１が奥端の払出位置ｂに達した後には、手前側の待機位置ａまで戻される。このような動作を行うことにより、商品３を１つずつ商品出口１１から払い出すように構成されている。
【００１９】
なお、プッシャ２１はその上部が傾倒可能とされているとともに起立姿勢に付勢するばね２１ｆ（図６（ａ）参照）が取り付けられており、商品３を払い出すために奥側に移動する際には、搬出ユニット２０の上面部から突出して、その後面平面部２１ｂで商品３を奥側に押し出す一方、手前側に戻る時にはプッシャ２１の湾曲部２１ｃが商品３に当接して、図６（ｂ）において仮想線で示すような傾倒姿勢となり、このプッシャ２１が商品３の下方を通過するようになっている。
【００２０】
図２に示すように、自動販売機本体１の背面部をなす本体背面板１ａの手前側部分には上下に延びる商品背面通路１２が後部シュート１３により形成されており、商品出口１１に臨む箇所には、商品背面通路１２に続く背面連絡通路１４が形成されている。そして、商品出口１１から払い出された商品３は、背面連絡通路１４を介して商品背面通路１２から商品下部通路１８を通って、図１に示す商品取出口１９側に搬出されるようになっている。
【００２１】
さらに、図３および図７〜図９に示すように、商品出口１１に対して奥側から臨むように、払出阻止手段としての払出阻止ゲート３１が設けられている。この払出阻止ゲート３１は、背面板８における商品出口１１の上方箇所に取付けられた合成樹脂製の支持ブラケット３２に、この支持ブラケット３２に一体形成された支持軸部３２ｃを中心として回動自在に支持されている。支持ブラケット３２は、まず、背面板８に形成された爪部８ａ（図３参照）に、支持ブラケット３２に形成された支持用凹部３２ａが下方から嵌め込まれ、次に、背面板８に形成された爪部８ｂ（図３参照）近傍箇所を撓ませて、支持ブラケット３２に形成された支持用凸部３２ｂに内側から嵌め込まれて取付けられている。また、支持ブラケット３２には、背面板８に取付けられた取付面３２ｇの左右端辺部分から奥側に略台形状に延びる支持面部３２ｄの下端近傍箇所から左右外側にそれぞれ突出するように前記支持軸部３２ｃが一体形成され、これらの支持面部３２ｄを内側に撓ませた状態で、各支持軸部３２ｃを、払出阻止ゲート３１の上部に形成された支持片部３１ａの孔に挿入して係合させることで、払出阻止ゲート３１を支持ブラケット３２に取り付けている。そして、これにより、払出阻止ゲート３１は、払出阻止ゲート３１の払出阻止片部３１ｂが真下に向いた阻止姿勢（図３、図８を参照）から、払出阻止片部３１ｂが斜め上奥側に向いた退出姿勢（図９の仮想線部分を参照）を越える範囲で回動自在とされている。
【００２２】
また、支持ブラケット３２の下面中央箇所には、直方体形状の磁石（永久磁石）３３が、支持ブラケット３２に一体形成された取付用爪部３２ｆと取付片部３２ｈにより取付けられている。そして、払出阻止ゲート３１の払出阻止片部３１ｂから直角に屈曲して形成された磁着用片部３１ｃが、前記阻止姿勢時に、磁石３３に下方から当接して磁力により吸着されるよう構成されている。なお、磁着用片部３１ｃの中央部には、支持ブラケット３２の取付用爪部３２ｆが当接しないように逃がす逃がし孔３１ｇが形成されている。また、磁着用片部３１ｃの左右両側部分が上方に向けて屈曲されて、前記支持片部３１ａが一体形成されている。
【００２３】
払出阻止ゲート３１は、外力が作用していない状態では、その自重により、払出阻止片部３１ｂが真下に向いた阻止姿勢とされている。また、磁石３３は、払出阻止ゲート３１が阻止姿勢である状態での磁石３３による支持片部３１ａの吸着力が、プッシャ２１により商品３が送り込まれる際の力よりは小さいが、単に商品３が奥側に移動した際の衝撃力よりは大きいものが用いられている。
【００２４】
上記構成において、販売待機状態においては、図３、図７（ａ）に示すように、収納部４に商品３が収納され、払出阻止ゲート３１は、払出阻止片部３１ｂが真下に向いた阻止姿勢とされている。そして、払出阻止ゲート３１は、この阻止姿勢においては、磁着用片部３１ｃが磁石３３に当接されているとともに、その磁石３３の吸着力により密着している。
【００２５】
商品の販売時、すなわち販売指示があった場合には、図７（ｂ）、（ｃ）に示すように、プッシャ２１が移動されて、商品３が収納部４から商品出口１１を通して奥側に送り込まれる。この場合には、プッシャ２１の送り出し力が、払出阻止ゲート３１の磁石３３による吸着力よりも大きいため、払出阻止ゲート３１は、その磁着用片部３１ｃが磁石３３から離脱して、退出姿勢に回動し、この結果、商品３は背面連絡通路１４に払い出され、商品背面通路１２および商品下部通路１８を介して図外の商品取出口に払い出される。
【００２６】
販売待機状態において、盗難等を目的として、外部から自動販売機全体などが揺すられたり、傾倒された際には、払出阻止ゲート３１が商品出口１１に真後ろから臨む阻止姿勢であるとともに、払出阻止ゲート３１の磁着用片部３１ｃが、支持ブラケット３２に取付けられた磁石３３に下方から当接して磁力により吸着されているので、単に、商品３が収納部４から移動する小さな力では、払出阻止ゲート３１は退出姿勢側に回動することはなく、阻止姿勢を保持し、これにより、収納部４の商品３が背面連絡通路１４側に出てしまうことは防止される。
【００２７】
また、図１０（ａ）に示すように、収納部４に商品３が１つ（または各列に１つずつ）残っている状態で商品３を補充用開口部１５から補充する際に、この補充する商品３によって、収納部４の下端の商品３が商品出口１１から押し出されるように力を受けて移動した場合には、図１０（ａ）において仮想線で示すように、この押し出された商品３が払出阻止ゲート３１に当接することとなる。この場合に、この商品３を押し出す力があまり大きくない場合（具体的には磁石３３による吸着力よりも小さい場合）には、払出阻止ゲート３１が回動しないため、収納部４に残っていた商品３が留まったまま、補充する商品３が、下端の商品３の上方や手前側に追加されて補充される。一方、補充する商品３によって、収納部４の下端の商品３が商品出口１１から押し出される力が大きかった場合（具体的には磁石３３による吸着力よりも大きい場合）には、この押出力が、磁石３３の吸着力よりも勝るため、図１０（ｂ）、図１１（ａ）に示すように、払出阻止ゲート３１は、その磁着用片部３１ｃが磁石３３から離脱して、退出姿勢に回動する。この際、払出阻止ゲート３１が一旦、回動し始めて、磁着用片部３１ｃが磁石３３から離脱すると、その離反距離に応じて、磁石３３の磁着用片部３１ｃに対する吸着力が急激に減少するため、払出阻止ゲート３１は少ない力で自由に回動可能な状態となる。したがって、補充される商品３からの力により、一旦払出阻止ゲート３１が開かれると、払出阻止ゲート３１は容易に回動し、払出阻止ゲート３１を押し広げて奥側まで進んで商品出口１１から殆ど押し出された商品３は、払出阻止ゲート３１と載置台９の後端部との間に強い力で挟まれることなく（具体的には、払出阻止ゲート３１の重量だけが作用している状態である）、図１１（ｂ）に示すように、背面連絡通路１４に払い出され、商品背面通路１２を介して商品下部通路１８に払い出される。
【００２８】
なお、商品３が商品下部通路１８に払い出されると、自動販売機本体１の下部前方に出てくるので、商品３を補充する係員によって容易に認識でき、この商品３は前記係員によって回収されたり、再度補充されたりする。
【００２９】
これにより、この後の商品販売時に、すなわち販売指示があった場合でも、商品３が払出阻止ゲート３１の箇所に残っていないので、プッシャ２１による払出動作が行われた際でも、２つの商品３が払い出される不具合は発生しない。
【００３０】
このように本発明によれば、良好な防盗機能を維持できながら、商品３を補充する際に、補充する商品３によって商品出口１１側に押し出された商品３が、払出阻止ゲート３１と載置台９の後端部との間に挟まって残ったままとなることを防止でき、２つの商品３が払い出される不具合を防止できて、信頼性が向上する。
【００３１】
また、磁石３３による磁力を利用することで、極めて簡単な構成で上記機能を達成でき、製造コストも安価に抑えることができる。
なお、上記実施の形態では、磁石３３を所定位置に固定されている支持ブラケット３２に固定する場合を述べたが、これに限るものではなく、払出阻止ゲート３１側に磁石３３を取付け、支持ブラケット３２側に、磁石３３に吸着する金属板を取付けてもよい。また、磁石３３を用いることで、簡単な構造とすることができる利点がある。また、磁石３３と金属板とは阻止姿勢では直接当接すると極めて吸着力が大きくなる利点があるが、これに限るものではなく、阻止姿勢で磁石３３と金属板とが近接するように配置してもよい。
【００３２】
また、上記の実施の形態では、収納部４に商品３が前後２列に並べられた状態で収納される構造の場合を述べたが、これに限るものではなく、１列のみのものや、３列以上のものにも適用可能である。
【００３３】
また、上記構成を全ての収納部４に対して採用してもよいが、これに限るものではなく、ショートサイズのたばこように、長手方向長さが小さく、かつ軽い商品３を収納する収納部４など、特に本発明の効果の大きな収納部４のみに限定して上記構成を適用してもよい。
【図面の簡単な説明】
【００３４】
【図１】本発明の実施の形態に係る自動販売機の商品搬出装置を備えた自動販売機の、前面扉を開けた状態の斜視図である。
【図２】同自動販売機の、商品搬出装置が設けられている箇所を概略的に示す側面図である。
【図３】同自動販売機の商品搬出装置の斜視図である。
【図４】（ａ）および（ｂ）は同商品搬出装置の搬出ユニットの平面図および側面図である。
【図５】同搬出ユニットの載置台（上部カバー）を取り外した状態を示す平面図である。
【図６】（ａ）および（ｂ）は同搬出ユニットのプッシャの正面図および側面図である。
【図７】（ａ）〜（ｃ）はそれぞれ同商品搬出装置の商品を払い出す状態を概略的に示す側面図である。
【図８】（ａ）および（ｂ）は同商品搬出装置の払出阻止ゲートと支持ブラケットとを示す正面図および側面図、（ｃ）は（ａ）のVIII−VIII線矢視断面図、（ｄ）は斜視図で、それぞれ払出阻止ゲートが阻止姿勢である状態を示す。
【図９】（ａ）は同商品搬出装置の払出阻止ゲートと支持ブラケットとを示す正面図、（ｂ）は（ａ）のIX−IX線矢視断面図、（ｃ）は斜視図で、それぞれ払出阻止ゲートが退出姿勢である状態を示す。
【図１０】（ａ）および（ｂ）はそれぞれ同商品搬出装置の商品を補充する状態を概略的に示す側面図である。
【図１１】（ａ）および（ｂ）はそれぞれ同商品搬出装置の商品を補充する状態および補充後の状態を概略的に示す側面図である。
【図１２】（ａ）〜（ｄ）はそれぞれ従来の自動販売機の商品搬出装置の商品を払い出す状態を概略的に示す側面図である。
【図１３】（ａ）〜（ｃ）はそれぞれ従来の自動販売機の商品搬出装置の、商品を補充する際の状態を概略的に示す側面図である。
【符号の説明】
【００３５】
１      自動販売機本体
２      前面扉
３      商品
４      収納部
５      側面板
６      仕切板
９      載置台
１１    商品出口
１５    補充用開口部
２０    搬出ユニット
２１    プッシャ
３１    払出阻止ゲート（払出阻止手段）
３２    支持ブラケット
３３    磁石
【図１】
2007079878.tif 000003
【図２】
2007079878.tif 000004
【図３】
2007079878.tif 000005
【図４】
2007079878.tif 000006
【図５】
2007079878.tif 000007
【図６】
2007079878.tif 000008
【図７】
2007079878.tif 000009
【図８】
2007079878.tif 000010
【図９】
2007079878.tif 000011
【図１０】
2007079878.tif 000012
【図１１】
2007079878.tif 000013
【図１２】
2007079878.tif 000014
【図１３】
2007079878.tif 000015